(57)【要約】【課題】本発明は、側枠体の重量を軽減し、これにより枠体全体の重量軽減が行える乗客コンベアを提供することにある。【解決手段】本発明は、枠体３を構成する側枠体４Ａ，４Ｂを、上下辺を折曲げ成形した鋼板製の側板６で構成すると共に、側板６の高さ方向に延在する骨材７を枠体３の全長に亘って複数設けたのである。  上記構成とすることで、型材である上弦材及び下弦材、さらには、上弦材と下弦材との間を連結する斜め部材を側板６にて形成できるので、側枠体４Ａ，４Ｂの重量は軽減し、枠体３全体の重量を軽減することができる。【選択図】図１
2010173787.tif 000002
【特許請求の範囲】
【請求項１】
左右の側枠体とこれら左右の側枠体を連結する連結部材とを有する枠体を建築構造物に設置し、この枠体の長手方向両端部に形成した機械室に設置した駆動機械によって無端状に連結された複数の踏板を枠体内で循環移動させるように構成した乗客コンベアにおいて、前記側枠体を、上下辺を折曲げ成形した鋼板製の側板で構成すると共に、側板の高さ方向に延在する骨材を側枠体の全長に亘って複数設けたことを特徴とする乗客コンベア。
【請求項２】
前記機械室に対向する位置の複数の骨材は、その上下端部を共通の骨材で連結されていることを特徴とする請求項１記載の乗客コンベア。
【請求項３】
左右の側枠体とこれら左右の側枠体を連結する連結部材とを有する枠体を建築構造物に設置し、この枠体の長手方向両端部に形成した機械室に設置した駆動機械によって無端状に連結された複数の踏板を枠体内で循環移動させるように構成した乗客コンベアにおいて、前記側枠体を、上下辺を折曲げ成形した鋼板製の側板で構成すると共に、側板の高さ方向に延在する骨材を側枠体の全長に亘って複数設け、かつ前記機械室を前記側板に固定した骨組体で構成したことを特徴とする乗客コンベア。
【請求項４】
左右の側枠体とこれら左右の側枠体を連結する連結部材とを有する枠体を建築構造物に設置し、この枠体の長手方向両端部に形成した機械室に設置した駆動機械によって無端状に連結された複数の踏板を枠体内で循環移動させるように構成した乗客コンベアにおいて、前記枠体の長手方向両端部に位置する両機械室における側枠体を、骨組体で構成すると共に、前記両機械室の間を連結する側枠体を、上下辺を折曲げ成形した鋼板製の側板で構成し、この側板の高さ方向に延在する骨材を側枠体の全長に亘って複数設けたことを特徴とする乗客コンベア。
【請求項５】
左右の側枠体とこれら左右の側枠体を連結する連結部材とを有する枠体を建築構造物に設置し、この枠体の長手方向両端部に形成した機械室に設置した駆動機械によって無端状に連結された複数の踏板を枠体内で循環移動させるように構成した乗客コンベアにおいて、前記枠体の長手方向両端部に位置する両機械室における側枠体を、型材を溶接接合して組立てた骨組体で構成すると共に、前記両機械室の間を連結する側枠体を、上下辺を折曲げ成形した鋼板製の側板で構成し、この側板の高さ方向に延在する骨材を側枠体の全長に亘って複数設けたことを特徴とする乗客コンベア。
【請求項６】
前記骨組体は、上弦材と、下弦材と、これら上弦材と下弦材を連結する骨材と、横桁とで構成されていることを特徴とする請求項４又は５記載の乗客コンベア。
【請求項７】
前記骨組体の一部は、前記両機械室の間を連結する側枠体に延長されていることを特徴とする請求項４又は５記載の乗客コンベア。
【請求項８】
左右の側枠体とこれら左右の側枠体を連結する連結部材とを有し、上部水平区間と中間傾斜区間と下部水平区間とから構成された枠体を、建築構造物の上下階に跨って設置し、この枠体の前記上部水平区間と下部水平区間に機械室を設け、この機械室に設置された駆動機械によって無端状に連結された複数の踏板を枠体内で循環移動させるように構成した乗客コンベアにおいて、前記側枠体を、上下辺を折曲げ成形した鋼板製の側板で構成すると共に、側板の高さ方向に延在する骨材を側枠体の全長に亘って複数設け、かつ前記機械室を前記側板に固定され一部が前記中間傾斜区間に臨む骨組体で構成したことを特徴とする乗客コンベア。
【請求項９】
前記骨組体は、上弦材と、下弦材と、これら上弦材と下弦材を連結する骨材と、横桁とで構成されていることを特徴とする請求項８記載の乗客コンベア。
【請求項１０】
前記上部水平区間と前記中間傾斜区間の境界及び前記中間傾斜区間と前記下部水平区間の境界に対応する前記側板の折曲げ成形された角部に、折曲げ幅に亘る切欠き部を設けたことを特徴とする請求項８又は９記載の乗客コンベア。
【請求項１１】
前記側板を、前記上部水平区間と前記中間傾斜区間の境界及び前記中間傾斜区間と前記下部水平区間の境界で切り離したことを特徴とする請求項８又は９記載の乗客コンベア。
【請求項１２】
左右の側枠体とこれら左右の側枠体を連結する連結部材とを有し、上部水平区間と中間傾斜区間と下部水平区間とから構成された枠体を、建築構造物の上下階に跨って設置し、この枠体の前記上部水平区間と下部水平区間に機械室を設け、この機械室に設置された駆動機械によって無端状に連結された複数の踏板を枠体内で循環移動させるように構成した乗客コンベアにおいて、前記側枠体を上部水平区間と中間傾斜区間と下部水平区間に亘って鋼板製の側板で構成すると共に、中間傾斜区間における側板の上下辺を折曲げ成形し、かつ前記機械室を前記側板に固定され一部が前記中間傾斜区間に臨む骨組体で構成したことを特徴とする乗客コンベア。
【請求項１３】
前記骨組体は、上弦材と、下弦材と、これら上弦材と下弦材を連結する骨材と、横桁とで構成されていることを特徴とする請求項１２記載の乗客コンベア。
【請求項１４】
前記中間傾斜区間に位置する側板には、側板の高さ方向に延在する骨材が側枠体の全長に亘って複数設けられていることを特徴とする請求項１２記載の乗客コンベア。
【発明の詳細な説明】
【技術分野】
【０００１】
本発明は隣接踏板間に段差が生じるエスカレーターや隣接踏板間に段差を生じない電動道路等の乗客コンベアに係り、特に、建築構造物に設置される枠体を工夫した乗客コンベアに関する。
【背景技術】
【０００２】
一般に、乗客コンベアの枠体は、上弦材と下弦材及びこれらを連結する縦部材及び斜め材とでトラス構成の側枠体を構成し、この側枠体を左右一対設け、左右の側枠体を連結部材で連結しており、これら部材はほとんどがＬ型鋼等の型材で構成されている。
【０００３】
しかしながら、型材で構成した枠体は重量が重く、そこで重量を軽減するために、特許文献１の第１５図及び第１６図に示すような枠体が提案されている。即ち、これらに開示の枠体は、型材による上弦材と下弦材との間に側板と縦部材とを連結し、斜め部材を省略して側枠体を形成したものである。
【０００４】
【特許文献１】特開昭６１−１８６９１号公報
【発明の開示】
【発明が解決しようとする課題】
【０００５】
上記特許文献１に開示の側枠体は、トラス構成の斜め部材の代わりに側板を用いたものであり、上弦材と下弦材とは依然として型材を用いているので、枠体としての重量軽減は僅かなものとなっている。
【０００６】
本発明の目的は、側枠体の重量を軽減し、これにより枠体全体の重量軽減が行える乗客コンベアを提供することにある。
【課題を解決するための手段】
【０００７】
本発明は上記目的を達成するために、側枠体を、上下辺を折曲げ成形した鋼板製の側板で構成すると共に、側板の高さ方向に延在する骨材を側枠体の全長に亘って複数設けたのである。
【０００８】
上記構成とすることで、型材である上弦材及び下弦材、さらには、上弦材と下弦材との間を連結する斜め部材を側板にて形成したので、側枠体の重量は軽減し、枠体全体の重量を軽減することができる。
【発明の効果】
【０００９】
以上説明したように、本発明によれば側枠体の重量を軽減し、これにより枠体全体の重量軽減が行える乗客コンベアを得ることができる。
【発明を実施するための最良の形態】
【００１０】
以下本発明による乗客コンベアを図１及び図２に示すエスカレーターの枠体に基づいて説明する。
【００１１】
建築構造物の上階１と下階２とに跨って設置された枠体３は、上部の機械室となる上部水平区間３Ａと、この上部水平区間３Ａに連なって下階側に延在する中間傾斜区間３Ｂと、この中間傾斜区間３Ｂに連なり下部の機械室となる下部水平区間３Ｃとを有する。
【００１２】
このような枠体３は、左右一対の側枠体４Ａ，４Ｂと、これら左右の側枠体４Ａ，４Ｂを連結する連結部材である複数の横桁５とで構成されている。そして、側枠体４Ａ，４Ｂは、全長の各区間に渡る鋼板製の側板６を有し、この側板６はその上下辺を折り曲げて天面部６ａと底面部６ｂを夫々形成している。側板６は、その高さ方向に延在する縦部材となる骨材７を側枠体４Ａ，４Ｂの全長に亘って略等間隔で複数設け、この骨材７に前記横桁５を連結している。
【００１３】
一方、前記枠体３の上部水平区間３Ａと下部水平区間３Ｃは、型材よりなる上弦材８Ａ，８Ｂ及び型材よりなる下弦材９Ａ，９Ｂと、これらを連結する型材よりなる骨材１０と、左右の側枠体４Ａ，４Ｂ側の骨材１０同士を連結する横桁５Ａとを溶接により接合して組立てた骨組体で構成し、この骨組体の一部を夫々中間傾斜区間３Ｂ側に臨ませている。そして、この骨組体に前記側板６を固定して側枠体４Ａ，４Ｂを構成している。云い代えれば、複数の骨材１０の上下端部を共通の骨材である上弦材８Ａ，８Ｂ及び下弦材９Ａ，９Ｂで連結し、左右の側枠体４Ａ，４Ｂの骨材１０同士を横桁５Ａで連結して骨組体を構成し、この骨組体の一部を夫々中間傾斜区間３Ｂ側に延在させ、側板６と固定しているのである。このように構成された枠体３の左右の側枠体４Ａ，４Ｂの底部には、全長に渡って連続あるいは断続的に底板１１が取付けられている。
【００１４】
そして、上部の機械室となる上部水平区間３Ａには、枠体３内を案内されて循環移動する複数の踏段を、踏段チェーンを介して駆動する駆動機械を設置するためのマシンベース１２を左右の下弦材９Ａ，９Ｂに跨って設置している。このほか、図示は省略するが、上部の機械室となる上部水平区間３Ａと下部の機械室となる下部水平区間３Ｃとの骨組体には踏段チェーンを巻き掛ける駆動スプロケットや従動スプロケットを軸支する軸受が設けられる。
【００１５】
以上のように、枠体３のうち上部水平区間３Ａと下部水平区間３Ｃは、駆動機械設置やスプロケット軸支のために機械的強度が要求されるために、骨組体を主構成とし、枠体３のうち上部水平区間３Ａと下部水平区間３Ｃとの間の中間傾斜区間は、型材を用いずに上下辺を折り曲げた側板６によって構成したので、型材による上弦材及び下弦材と型材による斜め部材を省略した分、側枠体４Ａ，４Ｂ重量は軽減し、その結果、枠体３の重量を軽量化することができる。
【００１６】
尚、ここで、側板６に用いる鋼板の板厚は、建築構造物への負担とトラス構成の斜め部材の機構をもたせることを考慮すると、２〜６ｍｍが望ましい。
【００１７】
さらに、上記実施の形態においては、上部水平区間３Ａと下部水平区間３Ｃにおける骨組体は、各型材を全て溶接によって接合することが望ましいが、上階１及び下階２に係合してエスカレーターンの全重量及び乗客重量を支える受梁１３と骨組体との連結部のみを溶接によって接合してもよく、また、前記重量の作用による変形の影響を大きく受ける上部水平区間３Ａと中間傾斜区間３Ｂとの境界部及び中間傾斜区間３Ｂと下部水平区間３Ｃとの境界部近傍における各型材を溶接によって接合してもよい。このほか、溶接熱などで踏段の走行軌跡が変化し易い、云い代えれば溶接熱によって芯出し位置が変位するような箇所の接合は、溶接によらず、ボルト・ナットによる接合やリベット接合してもよい。
【００１８】
上記実施の形態は、型材による上弦材及び下弦材を用いる代わりに、鋼板の上下辺を折り曲げて形成したものであるが、上下階床間の間隔が長大なエスカレーターにおいては、図３に示すように、乗客重量や自重によって鋼板製の側枠体４Ａ，４Ｂを、上下階床を支点として下方に撓ませて変形させるような力が作用する。このような力の作用により、図４に示すように、上部水平区間３Ａと中間傾斜区間３Ｂとの境界部における側枠体４Ａ，４Ｂの天面部６ａ及び底面部６ｂの角部Ｐ１，Ｐ２に応力が集中し、面外変形を起こす恐れがある。
【００１９】
そこで、上記実施の形態においては、上部水平区間３Ａから中間傾斜区間３Ｂに渡って型材による骨組体の一部を延在させる（臨ませる）と共に、下部水平区間３Ｃから中間傾斜区間３Ｂに渡って型材による骨組体の一部を延在させ（臨ませ）て側枠体４Ａ，４Ｂの剛性を向上させ、撓みによる変形や上記境界部の面外変形を抑制している。
【００２０】
尚、乗客重量や自重によって鋼板製の側枠体４Ａ，４Ｂが下方に撓んで変形することにより、上部水平区間３Ａと中間傾斜区間３Ｂとの境界部における側枠体４Ａ，４Ｂの天面部６ａ及び底面部６ｂの角部Ｐ１，Ｐ２に集中する応力を防止するために、図５及び図６に示す第１の変形例の構成とすることが望ましい。即ち、側板６の天面部６ａ及び底面部６ｂで、上部水平区間３Ａと中間傾斜区間３Ｂとの境界部で角部Ｐ１，Ｐ２となる位置に、折曲げ幅に亘る切欠き部１４Ａ，１４Ｂを設けるのである。尚、図５及び図６において、図１〜図２と同符号は同一構成部材を示す。また、図示は、側枠体４Ａのみであるが、当然、側枠体４Ｂも同様な構成を有する。
【００２１】
このように切欠き部１４Ａ，１４Ｂを設けることにより、天面部６ａ及び底面部６ｂによる角部Ｐ１，Ｐ２が形成されず、応力は分散されるので、応力集中による面外変形を抑制することができるのである。
【００２２】
図７及び図８は、本発明による第２の変形例を示すもので、図１〜図６と同符号は同一構成部材を示すので、再度の詳細な説明は省略する。
【００２３】
図５及び図６に示す第１の変形例と異なる構成は、側板６を上部水平区間３Ａと中間傾斜区間３Ｂとの境界部で側板６Ａと側板６Ｂとに分割したのである。
【００２４】
このように側板６Ａと側板６Ｂとに分割することで、上部水平区間３Ａと中間傾斜区間３Ｂとの境界部で、天面部６ａ及び底面部６ｂが角部Ｐ１，Ｐ２となる箇所がなくなり、その結果、応力は分散され、応力集中による面外変形を抑制することができる。
【００２５】
尚、第２の変形例においても、側枠体４Ａ側について説明したが、当然、側枠体４Ｂも同様な構成を有する。
【００２６】
次に、本発明による第３の変形例を図９及び図１０に基づいて説明する。図９及び図１０においても、図１〜図８と同符号は同一構成部材を示すので、再度の詳細な説明は省略する。
【００２７】
この第３の変形例において、第１及び第２の変形例と異なるのは、中間傾斜区間３Ｂに対向する側板６にのみ天面部６ａと底面部６ｂを折曲げにより形成したのである。
【００２８】
このように構成することでも、上部水平区間３Ａと中間傾斜区間３Ｂとの境界部で、天面部６ａ及び底面部６ｂに角部Ｐ１，Ｐ２となる箇所がなくなるので、応力は分散され、応力集中による面外変形を抑制することができるのである。
【００２９】
尚、上部水平区間３Ａと下部水平区間（図示せず）には、上弦材及び下弦材として機能する天面部６ａ及び底面部６ｂが存在しないが、上部水平区間３Ａと下部水平区間（図示せず）に対向する側板６には型材により構成した骨組体が存在するので、強度的には何等問題はない。
【００３０】
また、第３の変形例においても、側枠体４Ａ側について説明したが、当然、側枠体４Ｂも同様な構成を有するのは勿論である。
【００３１】
以上説明したように本発明による実施の形態によれば、側枠体４Ａ，４Ｂの全長に亘って型材による上弦材及び下弦材さらには斜め部材をなくすことができるので、その分重量を軽減することできて枠体３全体の重量を軽減することができる。
【００３２】
以上の説明は、上階と下階に跨って設置されたエスカレーターの枠体についてであるが、本発明は上階と下階に跨って設置される電動道路の枠体にも適用できるのは云うまでもなく、さらに、平坦面や傾斜面に設置される電動道路の枠体にも適用することができる。
【図面の簡単な説明】
【００３３】
【図１】本発明による乗客コンベアであるエスカレーターの枠体を示す側面図。
【図２】図１に示す枠体の上部水平区間を示す分解斜視図。
【図３】側板による側枠体の撓み変形を示す側面図。
【図４】図３の側枠体の上部水平区間と中間傾斜区間における面外変形を想定した斜視図。
【図５】本発明による乗客コンベアであるエスカレーターの側枠体の第１の変形例を示す上部水平区間近傍の側面図。
【図６】図５の側枠体の側板を示す斜視図。
【図７】本発明による乗客コンベアであるエスカレーターの側枠体の第２の変形例を示す図５相当図。
【図８】図７の側枠体の側板を示す図６相当図。
【図９】本発明による乗客コンベアであるエスカレーターの側枠体の第３の変形例を示す図５相当図。
【図１０】図９の側枠体の側板を示す図６相当図。
【符号の説明】
【００３４】
１…上階、２…下階、３…枠体、３Ａ…上部水平区間、３Ｂ…中間傾斜区間、３Ｃ…下部水平区間、４Ａ，４Ｂ…側枠体、５，５Ａ…横桁、６，６Ａ，６Ｂ…側板、６ａ…天面部、６ｂ…底面部、７…骨材、８Ａ，８Ｂ…上弦材、９Ａ，…下弦材、１０…骨材、１１…底板、１２…マシンベース、１３…受梁、１４Ａ，１４Ｂ…切欠き部。
【図１】
2010173787.tif 000003
【図２】
2010173787.tif 000004
【図３】
2010173787.tif 000005
【図４】
2010173787.tif 000006
【図５】
2010173787.tif 000007
【図６】
2010173787.tif 000008
【図７】
2010173787.tif 000009
【図８】
2010173787.tif 000010
【図９】
2010173787.tif 000011
【図１０】
2010173787.tif 000012